(57)【要約】本発明は、２つの部材間で力／トルクと回転運動とを補償および／あるいは伝達するための装置、とくに車両の動きを補償するための装置に関する。少なくとも１つのジョイントモジュールが２つの部材の間に設けられており、当該ジョイントモジュールによって、圧力媒体が供給されたピストンの並進運動および／あるいは回転運動は、少なくとも１つの第１回転シャフトあるいは第１と第２回転シャフトの回転運動に変換可能である。
2010507756.tif 000002
【特許請求の範囲】
【請求項１】
２つの部材間で力／トルクと回転運動とを補償および／あるいは伝達するための装置、とくに車両の動きを補償するための装置であって、少なくとも１つのボールロッドジョイントモジュール(Ｓ)が２つの部材の間に設けられている装置において、
前記ジョイントモジュールは、両端でジョイント式に軸受けされたボールロッドの形状をした連結エレメントを有するボールロッドジョイントモジュールの形状に形成されており、
該ボールロッドジョイントモジュールによって、圧力媒体が供給されたピストン(１)の並進運動および／あるいは回転運動が、
・第１回転シャフトあるいは
・第１回転シャフトかつ第２回転シャフト
の回転運動に変換可能であり、
ピストンと、第１および／あるいは第２回転シャフトとの間にそれぞれ、少なくとも１つのボールロッドジョイントモジュールが設けられていることを特徴とする装置。
【請求項２】
複数のボールロッドジョイントモジュールが、互いに連結されていることを特徴とする請求項１に記載の装置。
【請求項３】
ハウジング(Ｇ)にそれぞれ１つのボールロッドジョイントモジュール(Ｓ)が設けられていることを特徴とする請求項１あるいは請求項２に記載の装置。
【請求項４】
共通のハウジングに複数のボールロッドジョイントモジュールが設けられていることを特徴とする請求項１あるいは請求項２に記載の装置。
【請求項５】
それぞれ２つのボールロッドジョイントモジュールが、互いに軸方向に調整可能／移動可能に設けられていることを特徴とする請求項１から請求項４のいずれか一項に記載の装置。
【請求項６】
それぞれ２つのボールロッドジョイントモジュールが、互いに揺動可能に設けられていることを特徴とする請求項１から請求項５のいずれか一項に記載の装置。
【請求項７】
前記ピストンの両側に圧力室が設けられており、該ピストンは第１連結エレメント(７．１)を介して、前記第１回転シャフトと作用接続状態にあり、
１つあるいは２つの圧力室(Ｄ１，Ｄ２)に、それぞれ１つの圧力媒体供給部(２．１，２．２)が、前記ボールロッドジョイントモジュール(Ｓ)の軸方向に前記ハウジング(Ｇ)を貫いて通っていることを特徴とする請求項１から請求項６のいずれか一項に記載の装置。
【請求項８】
両端にボールを備える前記連結エレメント(７．１，７．２)が、ピストン側と回転シャフト側および／あるいは前記ハウジングの遮断蓋方向で、それぞれ１つの固定リング(８)によってボールソケットに固着されており、前記固定リングは切り抜き穴(ＤＢ)を有し、該切り抜き穴(ＤＢ)を通って前記連結エレメント(７．１，７．２)の前記ボールが通過可能であることを特徴とする請求項１から請求項７のいずれか一項に記載の装置。
【請求項９】
前記連結エレメント(７．１，７．２)の前記ボールが、ピストン側および／あるいは回転シャフト側および／あるいは前記ハウジングの遮断蓋方向で、それぞれ１つの固定リング(８)によってボールソケットに固着されており、前記固定リングはピストン側および／あるいは回転シャフト側および／あるいは前記ハウジング(Ｇ)の遮断蓋方向で、前記ボールロッドジョイントモジュールの軸方向に材料接続的に接続／溶接されていることを特徴とする請求項１から請求項８のいずれか一項に記載の装置。
【請求項１０】
前記連結エレメント(７．１，７．２)の前記ボールが、ピストン側および／あるいは回転シャフト側でポールソケット(３．１)に固着されており、該ボールソケット(３．１)は放射方向において、前記ボール(３)の前記直径(３Ｄ)よりも大きな直径(３．１ｄｙ)へと拡大しており、前記ボールソケット(３．１)の両極間距離(３．１ｄｘ)は、前記ボール(３)の前記直径(３Ｄ)と等しいことを特徴とする請求項１から請求項９のいずれか一項に記載の装置。
【請求項１１】
前記ピストン(１)が、前記第１圧力室(Ｄ１)と接続された第３圧力室(Ｄ３)と、前記第２圧力室(Ｄ２)と接続された第４圧力室(Ｄ４)とを備えていることを特徴とする請求項１から請求項１０のいずれか一項に記載の装置。
【請求項１２】
前記ピストン(１)の、前記第１回転シャフト(１０．１)と向かい合った側に、前記第２回転シャフト(１０．２)の形状をした第２のシャフト出口が設けられ、前記第２回転シャフト(１０．２)は、両端に回転運動可能に軸受けされている第２連結エレメント(７．２)を介して、前記ピストン(１)と作用接続状態にあることを特徴とする請求項１から請求項１１のいずれか一項に記載の装置。
【請求項１３】
前記ピストン(１)が、軸方向に運動可能かつ回転運動可能に軸受けされており、前記第１回転シャフト(１０．１)と前記ピストン(１)との間には第１圧力室(Ｄ１)が設けられ、該第１圧力室(Ｄ１)に前記第１圧力媒体供給管(２．１)が通じており、かつ前記ピストン(１)のもう一方の側には第２圧力室(Ｄ２)が設けられ、該第２圧力室(Ｄ２)に前記第２圧力供給管(２．２)が通じていることを特徴とする請求項１から請求項１２のいずれか一項に記載の装置。
【請求項１４】
前記第２圧力室(Ｄ２)が、前記ピストン(１)とハウジング側の蓋との間、あるいは前記ピストン(１)と前記第２回転シャフト(１０．２)との間に設けられていることを特徴とする請求項１１あるいは請求項１３に記載の装置。
【請求項１５】
前記第１圧力室(Ｄ１)に接続された前記第１圧力媒体供給管(２．１)と、前記第２圧力室(Ｄ２)に接続された前記第２圧力媒体供給管(２．２)とが、長手軸(Ａ１)方向に、前記ハウジング(Ｇ)の両側に設けられたハウジングの蓋(ＧＤ)を貫いて通っていることを特徴とする請求項１１から請求項１４のいずれか一項に記載の装置。
【請求項１６】
前記第１圧力室(Ｄ１)に接続された前記第１圧力媒体供給管(２．１)と、前記第２圧力室(Ｄ２)に接続された前記第２圧力媒体供給管(２．２)とが、前記ハウジング(Ｇ)に固定された接続部を介して、放射方向に前記ハウジング(Ｇ)を貫いて通っていることを特徴とする請求項１１から請求項１５のいずれか一項に記載の装置。
【請求項１７】
ボールロッドとして形成される前記連結エレメント(７．１，７．２)が、該連結エレメント(７．１，７．２)の端に設けられたボール(３)によって、前記ピストンと前記固定リング(８)とのボールソケット(３．１)に、ビストン側で固着されていることを特徴とする請求項１から請求項１６のいずれか一項に記載の装置。
【請求項１８】
ボールロッドとして形成される前記連結エレメント(７．１，７．２)が、該連結エレメント(７．１，７．２)の端に設けられたボール(３)によって、回転シャフト側および／あるいは蓋側に固定された、前記ピストンと前記固定リング(８)とのソケットリング(１１)のボールソケット(３．１)に、回転シャフト側および／あるいは蓋側で固着されていることを特徴とする請求項９から請求項１７のいずれか一項に記載の装置。
【請求項１９】
前記固定リング(８)が、放射方向外側に向かってあるいは内側に向かってスリットが入れられていることを特徴とする請求項９から請求項１８のいずれか一項に記載の装置。
【請求項２０】
前記固定リングが基底部を備えており、該基底部には、前記ボールソケットを形作るための凹型曲面の凹部が設けられており、前記基底部は中心の切り抜き穴を有しており、該切抜き穴から凹型曲面の前記凹部に、スリットが延びており、かつ該スリットの幅は、前記ボールロッドの前記ボールを接続しているロッドの直径よりも大きいことを特徴とする請求項９から請求項１９のいずれか一項に記載の装置。
【請求項２１】
前記固定リング(８)が基底部(Ｂ)を備えており、該基底部(Ｂ)には、前記ボールソケット(３．１)を形作るための凹型曲面の凹部が設けられており、各凹部には放射方向および／あるいは円周方向にずらされた穴(ＤＢ)が配設され、該穴は前記凹部に移行し、かつ該穴の直径は前記ボールの直径よりも大きいことを特徴とする請求項９から請求項２０のいずれか一項に記載の装置。
【請求項２２】
それぞれ１つの固定リング(８)が前記ピストン(１)と材料接続的に接続され、かつそれぞれ１つの固定リング(８)が前記ソケットリング(１１)と材料接続的に接続されていることを特徴とする請求項９から請求項２１のいずれか一項に記載の装置。
【請求項２３】
前記固定リング(８)が前記ソケットリング(１１)と、溶接接合部(Ｖ２)を介して接続されていることを特徴とする請求項９から請求項２２のいずれか一項に記載の装置。
【請求項２４】
前記固定リング(８)が前記ピストン(１)と、溶接接合部(Ｖ１)を介して接続されていることを特徴とする請求項９から請求項２３のいずれか一項に記載の装置。
【請求項２５】
前記固定リング(８)が前記ソケットリング(１１)および／あるいは前記ピストンと、軸方向から形成される溶接接合部(Ｖ２)を介して接続されていることを特徴とする請求項２３あるいは請求項２４に記載の装置。
【請求項２６】
前記固定リング(８)がそれぞれ、軸方向に円周側で前記ピストン(１)あるいは前記ソケットリング(１１)を囲繞する縁(８．１)を有しており、該縁(８．１)は、それぞれ前記ピストン(１)と前記ソケットリング(１１)と溶接されていることを特徴とする請求項９から請求項２５のいずれか一項に記載の装置。
【請求項２７】
前記ピストン(１)の中心領域では直径(１Ｄｉ)が小さくなっており、該小さくなった直径(１Ｄｉ)に第３と第４ピストン面(ＦＫ３，ＦＫ４)が隣接しており、前記第３と第４圧力室(Ｄ３，Ｄ４)が、前記ハウジング(Ｇ)と前記小さくなった直径(１Ｄｉ)との間かつ前記ピストン(１)の前記第３ピストン面と第４ピストン面(ＦＫ３，ＦＫ４)との間の空所にあり、隔壁(１４)によって互いに分離されていることを特徴とする請求項１から請求項２６のいずれか一項に記載の装置。
【請求項２８】
前記第１圧力室(Ｄ１)は、前記隔壁(１４)の前記圧力室(Ｄ１)に背向する側にある前記第３の圧力室(Ｄ３)と、第１接続管(Ｄ２．１’)を介して接続されていることを特徴とする請求項２７に記載の装置。
【請求項２９】
前記第２圧力室(Ｄ２)は、前記隔壁(１４)の前記圧力室(Ｄ２)に背向する側にある前記第４の圧力室(Ｄ４)と、第２接続管(Ｄ２．２’)を介して接続されていることを特徴とする請求項２７あるいは請求項２８に記載の装置。
【請求項３０】
前記隔壁(１４)が、その外径で前記ハウジング(Ｇ)に固定されており、かつ前記第３と第４圧力室(Ｄ３，Ｄ４)を互いに密閉して、内径でＨ型の前記ピストン(１)の前記小さくなった直径(１Ｄｉ)に当接していることを特徴とする請求項２７から請求項２９のいずれか一項に記載の装置。
【請求項３１】
前記ピストン(１)の片側に設けられた前記第１回転シャフト(１０．１)と前記第１連結エレメント(７．１)と、前記ピストン(１)のもう片側に設けられた前記第２回転シャフト(１０．２)と前記第２連結エレメント(７．２)とが、前記ピストン(１)の中心軸(Ａ２)に対して対称的に設けられ、該中心軸(Ａ２)は前記回転シャフト(１０．１，１０．２)の前記長手軸(Ａ１)に対して垂直に延びていることを特徴とする請求項１から請求項３０のいずれか一項に記載の装置。
【請求項３２】
前記ピストン(１)の片側に設けられた前記第１連結エレメント(７．１)が、前記ピストン(１)のもう片側に設けられた前記第２連結エレメント(７．２)に対して、円周方向にずらして設けられていることを特徴とする請求項１から請求項３１のいずれか一項に記載の装置。
【請求項３３】
前記第１回転シャフト(１０．１)および／あるいは前記第２回転シャフト(１０．２)が、前記圧力室(Ｄ１)および／あるいは前記圧力室(Ｄ２)に圧力を印加することによる前記ピストン(１)の移動によって、回転させることが可能であることを特徴とする請求項１から請求項３２のいずれか一項に記載の装置。
【請求項３４】
圧力室(Ｄ１，Ｄ２)に圧力がかかっていない場合、２つの回転シャフト(１０．１，１０．２)は連結を解除され、互いに独立して揺動可能であることを特徴とする請求項１から請求項３３のいずれか一項に記載の装置。
【請求項３５】
圧力媒体供給管(２．１，２．２)が閉鎖されている場合、２つの回転シャフト(１０．１，１０．２)は互いに固定的に連結されていることを特徴する請求項１から請求項３４のいずれか一項に記載の装置。
【請求項３６】
それぞれの回転シャフト(１０．１，１０．２)は軸方向の圧力貯蔵室(９)を介して、端に設けられたハウジングの蓋(ＧＤ)に支えられることを特徴とする請求項１から請求項３５のいずれか一項に記載の装置。
【請求項３７】
前記連結エレメント(７．１、７．２)は、立体角度位置をとることを特徴とする請求項１から請求項３６のいずれか一項に記載の装置。
【請求項３８】
少なくとも１つの第１連結エレメント(７．１)と少なくとも１つの第２連結エレメント(７．２)とが、互いに対称的に設けられていることを特徴とする請求項１から請求項３７のいずれか一項に記載の装置。
【請求項３９】
少なくとも１つの第１連結エレメント(７．１)と少なくとも１つの第２連結エレメント(７．２)とが、互いにずらして設けられていることを特徴とする請求項１から請求項３８のいずれか一項に記載の装置。
【請求項４０】
前記固定リング(８)の外周に、ガイドリングを受け入れるためのノッチ(５)が設けられていることを特徴とする請求項７から請求項３９のいずれか一項に記載の装置。
【請求項４１】
前記圧力室(Ｄ１，Ｄ２)と、前記圧力貯蔵室(９)との間に、それぞれ１つのパッキン(４)が設けられていることを特徴とする請求項１１から請求項４０のいずれか一項に記載の装置。
【請求項４２】
前記ピストン(１)が、前記回転シャフト(１０．１，１０．２)の前記長手軸(Ａ１)に対して垂直に、２等分割されることを特徴とする請求項１から請求項４１のいずれか一項に記載の装置。
【請求項４３】
前記ピストン(１)の両半分部が、センタリングリング(１２)によって中心に軸受けされていることを特徴とする請求項４２に記載の装置。
【請求項４４】
前記ピストン(１)の半分部の突出部(１３)が、前記ピストン(１)の隣接する半分部の凹部(１３．１)に、位置を固定して係合することを特徴とする請求項４２あるいは請求項４３に記載の装置。
【請求項４５】
前記ピストンの両半分部は、互いに材料接続的に接続されていることを特徴とする請求項４２から請求項４４のいずれか一項に記載の装置。
【請求項４６】
ハウジングの蓋(ＧＤ)は、前記ハウジング(Ｇ)と材料接続的に接続されていることを特徴とする請求項３から請求項４５のいずれか一項に記載の装置。
【発明の詳細な説明】
【技術分野】
【０００１】
本発明は、２部材間の力／トルクと回転運動とを補償および／あるいは伝達するための装置に関する。特に、たとえばシャーシを安定させるためのアクティブなシャーシにおいて、車両の動きを補償するために用いられる。
【背景技術】
【０００２】
特許文献１は、分割された車軸に設けられ、かつ内側に放射状のフィンを有するシリンダーを備える揺動モータについて記述している。シリンダーにはさらに、翼を有するモータシャフトが設けられている。フィンと翼とが作動チャンバを形成し、当該作動チャンバは油圧を印加可能で、それによってハウジングに対してモータシャフトの回転が生じる。ハウジングの一方の端は車軸の一部と固定接続されており、他方の端は回転シャフトとして形成され、車軸の別の部分と接続されて、その結果車両の動きは、回転シャフトの回転運動と、車軸の両部分の、回転シャフトの回転運動と結びついたねじれの回転運動とによって補償され得る。
【０００３】
さらに、弁やスライダーを作動させるための解決法が知られており、当該解決法においては、ハウジング内に設置され、かつ一方でハウジングとピストンに軸受もしくは２つのピストンの間に軸受されている連結ロッドを通じて、調整距離が、回転運動を直線運動に変換することにより生み出される。このときハウジングは部材に固定されておらず、一般的には回転するシャフトの出口のみが使用可能となっている。特許文献２は、ピストンと接続されている連結ロッドを使用して、直線運動が非直線運動に変換される解決法を記載している。さらなる解決法は、特許文献３に記述されている。当該特許文献３は同様に、直線運動と回転運動とを変換するための装置に関するものであり、駆動ユニットおよび作動ユニットとして、９０度回転バルブたとえば封鎖体を有するバルブ(ニードルバルブあるいはボールバルブ)に適用される。
【０００４】
特許文献４に記載されている解決法も、バルブの適用に関する。
【０００５】
比較的大きな間隔で開閉されるバルブあるいはコックの利用と、シャーシの動きの補償と、相応する調整距離において本質的により多い振動数を要する車両の振動の削減とは、互いに比較不可能である。
【０００６】
アクティブなシャーシにおいて、揺動モータの形状をした、当該分野に係るシャーシを安定させるための装置は、特許文献５に開示されている。揺動モータは普通、分割された軸(スタビライザー)に設けられ、ハウジングの片側が、軸と固定接続されている。ハウジングの反対側からは回転シャフトが突き出ており、当該回転シャフトは軸と接続されている。ハウジングにおいては、軸方向に運動可能なピストンおよび圧力媒体接続部があり、当該圧力媒体接続部はピストンの前後にある圧力室に達している。回転シャフトは、ピストンの軸方向の動きによって回転運動に変換可能であり、その結果軸の両部分は互いにねじられ得る。ピストンの軸方向の動きから回転シャフトの回転運動への変換は、ピストンとハウジングとに固定されているボールロッドを介して行われる。不利なのは、比較的大きな筐体寸法と、部分的にさらに複雑な構造とである。しかも当該解決法にはシャフトの出口が単に１つしかなく、それゆえ利用範囲が限られている。
【先行技術文献】
【特許文献】
【０００７】
【特許文献１】独国特許第１９７５４５３９号明細書
【特許文献２】仏国特許出願公開第２４０６２４７号明細書
【特許文献３】米国特許第４１３３２１５号明細書
【特許文献４】米国特許第３１５６１６１号明細書
【特許文献５】独国特許第１０２４５４５７号明細書
【発明の概要】
【発明が解決しようとする課題】
【０００８】
本発明の課題は、２つの部材間で力／トルクと回転運動とを補償および／あるいは伝達するための装置、とくに車両の動きを補償するための装置を提供することであり、当該装置は構成上単純な構造を有し、低いコストで生産可能かつ多岐にわたって利用可能である。
【課題を解決するための手段】
【０００９】
当該課題は、請求項１で示された特徴によって解決される。有利な形態は、従属請求項から明らかとなる。
【００１０】
本発明に従えば、本発明は２つの部材間で力／トルクと回転運動とを補償および／あるいは伝達するための装置、とくに車両の動きを補償するための装置を備えており、少なくとも１つのジョイントモジュールが２つの部材の間に設けられており、当該ジョイントモジュールによって、圧力媒体が供給されたピストンの並進運動および／あるいは回転運動は、少なくとも第１回転シャフトあるいは第１と第２回転シャフトの回転運動に変換可能である。１つあるいは２つの回転シャフトが択一的に使用可能であることにより、当該装置は、驚くほど多岐にわたって、車両の動きを補償するために使用され得る。さらに、複数のジョイントモジュールを互いに連結させることが初めて可能となり、それによって、可能な揺動角が、従来の解決法と比較してはるかに大きなものとなり得る。その際、各ジョイントモジュールが分離されたハウジング内に設けられるか、あるいは複数のジョイントモジュールが共通のハウジング内に設けられてもよい。複数のジョイントモジュールが使用される場合には、当該複数のジョイントモジュールは互いに軸方向に位置調整可能もしくは移動可能に設けられてもよく、それによって軸方向の運動もしくは軸方向の力を生み出すか、あるいは受け止めるか、もしくは補償することが可能である。
【００１１】
さらに、それぞれ２つのジョイントモジュールを、互いに揺動可能に設けることが可能である。
【００１２】
車両の動きを補償するためのジョイントモジュールは、ピストンが設けられているハウジングおよび第１回転シャフトの形状をした第１のシャフト出口を備えている。当該第１回転シャフトは、車両の動きに応じて回転運動に移行可能であり、かつ両端に回転運動可能に軸受けされている第１連結エレメントを介して、ピストンと作用接続状態にあり、圧力室がピストンの両側に設けられている。さらにジョイントモジュールは、以下の特徴群をそれぞれ個別にあるいは組み合わせて含み得る。
ａ)１つあるいは両方の圧力室に対し、それぞれ１つずつの圧力媒体供給管が、揺動モータの軸方向にハウジングを貫いて通っている、
および／あるいは
ｂ)連結エレメントはその両端にボールを備えており、ピストン側および／あるいは回転シャフト側および／あるいはハウジングの遮断蓋方向で、それぞれ１つの固定リングによってボールソケットに固着されており、固定リングは切り抜き穴を有し、当該切抜き穴を通って連結エレメントのボールが通過可能である、
および／あるいは
ｃ)連結エレメントはその両端にボールを備えており、当該ボールはピストン側および／あるいは回転シャフト側および／あるいはハウジングの遮断蓋方向で、それぞれ１つの固定リングによってボールソケットに固着されており、固定リングはピストン側および／あるいは回転シャフト側および／あるいはハウジングの遮断蓋方向で、揺動モータの軸方向に材料接続的に接続／溶接されている、
および／あるいは
ｄ)連結エレメントはその両端に、ピストン側および／あるいは回転シャフト側でボールソケットに固着されているボールを備えており、ボールソケットは放射方向において、ボールの直径よりも大きな直径へと拡大し、かつボールソケットの両極間距離がボールの直径と等しい、
および／あるいは
ｅ)ピストンが、第１圧力室と接続された第３圧力室と、第２圧力室と接続された第４圧力室とを備えている、
および／あるいは
ｆ)ピストンの、第１回転シャフトと向かい合った側に、第２回転シャフトの形状をした第２のシャフト出口が設けられ、当該第２回転シャフトは、両端に回転運動可能に軸受けされている第２連結エレメントを介して、ピストンと作用接続状態にある。
【００１３】
ピストンは軸方向に運動可能かつ回転運動可能に軸受けされており、第１回転シャフトとピストンとの間には第１圧力室が設けられており、当該第１圧力室に第１圧力媒体供給管が通じている。ピストンの反対側には第２圧力室が設けられており、当該第２圧力室に第２圧力媒体供給管が通じている。ジョイントモジュールの構造上の実施形態によっては、第２圧力室は、ピストンとハウジング側の蓋との間(回転シャフト１つのジョイントモジュール)あるいはピストンと第２回転シャフトとの間(回転シャフト２つのジョイントモジュール)に形成されている。第１圧力室に接続された第１圧力媒体供給管と、第２圧力室に接続された第２圧力媒体供給管とは、好ましくはジョイントモジュールの長手軸方向に、ハウジングの両側に設けられたハウジングの蓋を貫いて通っている。上記のような軸方向の圧力媒体供給部によって、ジョイントモジュールの筐体寸法ははるかに縮小されるか、あるいは同等の筐体寸法の場合にはジョイントモジュールの性能は向上する。
【００１４】
選択肢として、第１圧力室に接続された第１圧力媒体供給管と、第２圧力室に接続された第２圧力媒体供給管とを、ハウジングに固定された接続部を介して放射方向にハウジングを貫いて通すことが可能である。連結エレメントは好ましくは、ボールロッドとして形成されており、かつ上述のように、ボールソケットにおいて固定リングによってボールロッドのボールに固着される。ボールロッドとして形成される連結エレメントは、当該連結エレメントの端に設けられたボールによって、回転シャフト側および／あるいは蓋側に固定されたソケットリングのボールソケットに、回転シャフト側および／あるいは蓋側で固着され、かつピストンのボールソケットに固定リングによって固着されている。ボールロッドを取り付けるために、固定エレメントは、対応する切り抜き穴を有している。
【００１５】
固定リングは、ボールを通すために、放射方向外側に向かってあるいは内側に向かって、スリットが入れられて形成されている。このために固定リングは基底部を備えており、当該基底部には、ボールソケットを形作るための凹型曲面の凹部が設けられている。さらに基底部は、中心の切り抜き穴を有しており、当該切抜き穴から凹型曲面の凹部に、スリットが延びている。このときスリットの幅は、ボールロッドのボールを接続しているロッドの直径よりも大きくなくてはならない。
【００１６】
選択肢として固定リングは、ボールソケットを形作るための凹型曲面の凹部が設けられた基底部を備えてよく、その際各凹部には放射方向および／あるいは円周方向にずらされた穴が配設され、当該穴は凹部に移行し、かつ当該穴の直径はボールの直径よりも大きい。取り付けられるべき、ボールロッドのボールは、ボールソケットの向かい側から穴を通ってガイドされ、ボールソケットにはめ込まれる。
【００１７】
好ましくは、それぞれ１つの固定リングがピストンと、それぞれ１つの固定リングがソケットリングと材料接続的に接続されている。上記の接続は、特に溶接接続によって行われる。溶接接合部は、好ましくは軸方向に延在し、円周側で閉じられている。このために固定リングは、ソケットリングもしくはピストンと、軸方向に延在する溶接接合部を介して溶接されている。上記の溶接には、接合されるべき部材間の公差補償が可能であり、縮み応力が回避され得るという利点がある。そのために固定リングはそれぞれ、軸方向に円周側でピストンあるいはソケットリングを囲繞する縁を有している。固定リングの縁と、ピストンもしくはソケットリングの隣接する領域とは、互いに好適には軸方向で溶接される(たとえばレーザー溶接によって)。溶接のプロセスは、ポールソケットから離れて、軸方向の溶接接合部によって行われ、当該溶接のプロセスによってボールソケットの領域における望まれない応力が回避される。もちろん、放射方向の溶接接合部も用いられてよく、あるいは別の材料接続も用いられてよい(はんだ接続あるいは接着接続)。
【００１８】
ボールソケットは放射方向において、ボールの直径よりも大きな直径へと拡大しており、かつボールソケットの両極間距離がボールの直径と等しいため、ボールをボールソケットにゆがみなくかつ応力を受けずに軸受けすることが、非常に重要である。
【００１９】
ピストンが、第１圧力室と接続された第３圧力室と、第２圧力室と接続された第４圧力室とを備えていれば、それによって、有効なピストン面と、ジョイントモジュールの性能とが、著しく増大され得る。そのためにピストンは、縦断面で見てＨ形に形成されており、すなわち中心部では直径が小さくなっており、当該直径に追加の第３・第４のピストン面が隣接しており、第３と第４の圧力室は、ハウジングと小さくなった直径との間、かつ第３ピストン面と第４ピストン面との間の空所にあり、隔壁によって互いに分離されている。このとき第１圧力室は、隔壁の第１圧力室に背向する側にある第３の圧力室と、第１接続管を介して接続されている。同様に第２圧力室は、隔壁の第２圧力室に背向する側にある第４の圧力室と、第２接続管を介して接続されている。隔壁は、ハウジングにも、Ｈ形のピストンの小さくなった直径部分にも当接しており、第３圧力室と第４圧力室を互いに密閉している。好ましくは隔壁は、ハウジングに対してフレーム固定されて設けられている。
【００２０】
ジョイントモジュールが第１回転シャフトと第２回転シャフトとを備える場合、ピストンの片側に設けられた第１回転シャフトと、第１連結エレメントと、ピストンのもう片側に設けられた第２回転シャフトと、第２連結エレメントとが、好ましくはピストンの中心軸に対して対称的に設けられ(ピストンが中心位置にある場合)、中心軸は回転シャフトの長手軸に対して垂直に延びている。
【００２１】
しかしながら、ピストンの片側に設けられた第１連結エレメントを、ピストンのもう片側に設けられた第２連結エレメントに対して、円周方向にずらして設けることも可能であり、その結果第１連結エレメントの２つのボールの間にそれぞれ、第２連結エレメントの１つのボールがピストンに固定され、またその逆になる。
【００２２】
第１圧力室および／あるいは第２圧力室に圧力を印加することにより、ピストンは、より小さな圧力で圧力室の方向に移動し、それによって第１回転シャフトと第２回転シャフトとが逆の方向に回転させられ、車両の揺れが補償され得る。２つの圧力媒体供給管が閉鎖されている場合、２つの回転シャフトは互いに固定的に連結されている。圧力室に圧力がかかっていない場合、２つの回転シャフトは連結を解除され、互いに独立して揺動可能である。それぞれの回転シャフトは軸方向の圧力貯蔵室を介して、端に設けられたハウジングの蓋に支えられる。
【００２３】
さらにガイドリングを受容するために、固定リングの外周にノッチが設けられてもよい。圧力室と圧力貯蔵室との間には、それぞれ１つのパッキンが設けられている。組み立てを確実にするため、かつ製造を単純化するために、ピストンは、回転シャフトの長手軸に対して垂直に２等分割される。ピストンの両半分部は、センタリングリングによって互いに中心に軸受けされることができ、ピストンの半分部の突出部は、隣接するピストンの半分部の凹部に、位置を固定して係合する。選択肢として、ピストンの両半分部は、互いにセンタリングを行う成型エレメントを備えることができ、当該成型エレメントは互いに係合する。ピストンの両半分部は、互いに材料接続的に接続され、特に溶接されている(たとえばレーザー溶接によって)。ハウジングの蓋も、ハウジングと好ましくは溶接されている。
【００２４】
ジョイントモジュールはたとえば、シャーシと接続されているスタビライザーに設けられる。その際第１回転シャフトはスタビライザーの半分部と接続されており、向かい側にあるハウジングの蓋もしくはハウジングあるいは第２回転シャフトはスタビライザーのもう半分部と接続されている。回転シャフトの１つだけが用いられる場合、すでに当該回転シャフトの揺動運動によって、車両の傾きが補償され得る。上記の実施形態は、たとえば車輪に直接配設されて、車輪の動きを取り去ることができる。回転シャフトを２つ用いる場合には、２つの回転シャフトの逆の回転運動もしくは揺動運動によって、車両のより大きな傾斜角を補償することができる。１つの圧力室に圧力が印加され、かつ別の圧力室に圧力がかかっていない場合、ピストンは圧力のかかっていない圧力室の方向に移動し、それにより連結エレメントを介して２つの回転シャフトは、互いに逆の揺動運動を行う。双方の圧力室に圧力がない場合、２つの回転シャフトは連結を解除され、互いに独立して揺動可能であり、ピストンが軸方向に移動して回転運動を行う。圧力媒体供給管が閉鎖されている場合、２つの回転シャフトは互いに固定的に連結され、その結果スタビライザーは一体化したエレメントのように作用し、ピストンは動かない。
【００２５】
本発明に係る解決法によって、２つの部材間の力／トルクと回転運動とを補償および／あるいは伝達するための装置が提供される。当該装置は特に車両の動きを補償するために用いられ、かつ構成上単純な構造で筐体寸法が小さい場合に多方面にわたって使用可能である。本発明は、実施例に基づいて次に詳述される。図で示されるのは、以下である。
【図面の簡単な説明】
【００２６】
【図１】１つの回転シャフトと、軸方向の圧力媒体供給部とを有するジョイントモジュールの基本図である。
【図１ａ】２つの回転シャフトと、放射方向の圧力媒体供給部とを有するジョイントモジュールＳの構造を示す図である。
【図２】互いに離間された固定リングを有する図１の部分図である。
【図２．１】互いに当接する固定リングを有する図１の部分図である。
【図２．２】連結エレメントであるボールロッドを示す図である。
【図２．３】ボールソケットとソケットにあるボールの横断面図である。
【図３】連結エレメントの受容部を有するピストンを示す図である。
【図３．１】基底部と、連結エレメントのための受容部とを有するピストンを示す図である。
【図４】連結エレメントのための受容部を有する固定リングを示す図である。
【図４．１】基底部と、連結エレメントのための受容部とを有する固定リングを示す図である。
【図５】軸方向の圧力媒体供給部と回転シャフトとを有するジョイントモジュールＳの構造を示す図である。
【図６】軸方向の圧力媒体供給部と回転シャフトと、ピストン内の付加的圧力室とを有するジョイントモジュールＳを示す図である。
【図７】互いに軸方向に動くよう設けられた２つのジョイントモジュールを有する装置を示す図である。
【図８】互いに角度に関してずらして設けられた２つのジョイントモジュールを有する装置を示す図である。
【発明を実施するための形態】
【００２７】
図１は、１つの回転シャフト１０．１と軸方向の圧力媒体供給部２．１、２．２とを有するジョイントモジュールＳが基本位置にあるときの基本図を示している。ハウジングＧにはピストン１が設けられ、当該ピストン１はスプラインでかみ合わされたスライディングスリーブＭを介して回転不能かつ軸方向に移動可能に軸受けされている。スライディングスリーブＭは、ピストンの方向を向いている、ハウジングの蓋ＧＤのショルダー部ＧＤ’に載っており、当該ショルダー部ＧＤ’はハウジングＧを当該箇所で閉鎖している。ピストン１とハウジングの蓋ＧＤとの間には第１圧力室Ｄ１が形成され、当該第１圧力室Ｄ１に第１圧力媒体供給部２．１が通っている。ピストン１の、ハウジングの蓋ＧＤに背向する側には、固定リング８とピストン側のソケットリング１１とを介して、４本のボールロッド(第１連結エレメント７．１)の端部のボール３が、詳しく記載されていないボールソケットに揺動可能に軸受けされている。ボールロッド(第１連結エレメント７．１)の向かい合う端部のボール３は同様に、第２の固定リング８と回転シャフト側のソケットリング１１とのボールソケットとに揺動可能に軸受けされている。ボール３と、固定リング８とソケットリング１１とのボールソケットとが、ボールジョイントを形成している。２つの固定リング８の間に、圧力媒体供給部２．２を有する第２圧力室Ｄ２が形成される。ピストン１から離間された固定リング８とソケットリング１１とは、中間部材Ｓを介して第１回転シャフト１０．１と接続されており、当該第１回転シャフト１０．１は、軸方向の圧力貯蔵室９を介して別のハウジングの蓋ＧＤに支えられ、ハウジングＧにおいて回転可能に軸受けされている。第１回転シャフト１０．１は、ハウジングの蓋１０．１を貫いて突き出ている。４本のボールロッド(連結エレメント７．１)は、すべて同じ角で傾いており、共通の目盛円盤上に等間隔に設けられている。ハウジングの蓋ＧＤは、ハウジングＧと密閉されて溶接されている。ピストン１と中間部材ＳとはハウジングＧの内壁に対して、かつ回転シャフト側のハウジングの蓋ＧＤは回転シャフト１０．１の外径に対して、記されていないパッキンにより密閉状態を作っている。
【００２８】
作用は次のようなものである。第１の油圧接続部(圧力媒体供給部２．１)を介して円筒型のピストン１が印加されると、ピストン１はスプラインでかみ合わされたスライディングスリーブＭによって、第１回転シャフト１０．１の方向にねじれを有さずに移動する。ピストンの力が、ボールロッド(連結エレメント７．１)を介して固定リング８とソケットリング１１とに伝達される。４本の連結エレメント７が立体的に傾斜して位置している結果、ソケットリング１１において軸方向の分力と円周方向に作用する分力とが生み出され、４本の連結エレメント７．１はますます大きく傾く。円周方向に作用する分力は、中間部材Ｓを介して第１回転シャフトに、所望の回転力を生じさせ、当該回転力の大きさは、ピストン力とボールロッドの立体角との関数となる。軸方向の分力は、圧力貯蔵室９を介して補償される。逆向きの回転方向は、油圧接続部２．２を介して圧力室Ｄ２に印加されることにより、生じる。このとき、連結エレメント７．２の迎角は再び大きくなる。ハウジングＧは、第１回転シャフト１０．１に対するカウンター軸受(固定軸受)であるピストン側のハウジングの蓋ＧＤを有して構成されており、その結果ハウジングＧと回転シャフト１０．１との間でジョイントモジュールの回転モーメントが生じる。
【００２９】
図１ａは、２つの回転シャフト１０．１、１０．２および放射方向の圧力媒体供給部２．１、２．２を有する、対称的に構成されたジョイントモジュールＳの縦断面図を示している。ピストン１はハウジングＧにあり(図１ａでは中央の位置)、当該ピストン１は、ボールロッドの形状をした連結エレメント７．１、７．２を介して、両側でピストン１に対して設けられ長手軸Ａ１を中心に回転可能な回転シャフト１０．１、１０．２と、作用接続状態にある。ボールロッド(連結エレメント７．１、７．２)は、その両端に設けられたボール３によって、ピストン１にも回転シャフト１０．１、１０．２にも、ボールジョイント式の接続を介して固定されており、かつ固定リング８によって固定されている。ピストン１と第１回転シャフト１０．１との間には第１圧力室Ｄ１が形成されており、ピストン１と第２回転シャフト１０．２との間には第２圧力室Ｄ２が形成されている。ハウジングＧを貫いて、第１圧力室Ｄ１に第１圧力媒体供給部が、第２圧力室Ｄ２に第２圧力媒体供給部が、放射方向に通っている。各回転シャフト１０．１、１０．２は、軸方向の圧力貯蔵室９を介して、両端に設けられているハウジングの蓋ＧＤに支えられる。圧力貯蔵室９と圧力室Ｄ１、Ｄ２との間には、それぞれ１つのパッキン４が備えられている。圧力室Ｄ１、Ｄ２に圧力を印加してピストン１を動かすことにより、回転シャフト１０．１、１０．２の逆方向の揺動運動が生み出される。ボールロッドとして形成されており、かつその両端にボール３が設けられている連結エレメント７．１、７．２は、当該ボール３を部分的に取り巻いている固定リング８に、固定リング８が隙間なく(「塊で」)互いに当接できるように、固着されている(図２．１)。当該形状は、ジョイントモジュールＳの取り付けを容易にする。図２と図２．１とは、簡略的にのみ示されたピストン１とソケットリング１１との、回転シャフト１０．１に配設されたボールジョイント式の接続の概略図を示している。同様の接続は、長手軸Ａ１に対して直交して延在するピストン１の中心軸Ａ２に対して対称的に、回転シャフト１０．２の側に設けられている。示された例(図１ａ)においては、好適には、ピストン１の片側に設けられた第１回転シャフト１０．１と第１連結エレメント７．１と、ピストン１のもう片側に設けられた第２回転シャフト１０．２と第２連結エレメント７．２とが、ピストン１の中心に対して対称的に取り付けられている。しかし、ピストン１の片側にある第１連結エレメント７．１を、ピストン１のもう片側にある第２連結エレメント７．２に対して、円周方向にずらして設けることも可能であり、それによって公差補償がもたらされる(図示せず)。たとえば３つの第１連結エレメント７．１と、たとえば３つの第２連結エレメント７．２とが、対称的に(図１ａ)あるいはまた互いに円周方向にずらされて(図示せず)設けられることができる。しかも連結エレメント７．１、７．２は、立体角度位置をとり、その結果構造が対称的な場合、回転角にわたってほぼ一定の回転モーメントの曲線と、かつ一様な力の曲線がもたらされる。固定リング８は、軸方向すなわち回転シャフト１０．１、１０．２の長手軸Ａ１の方向で、連結エレメント７．１、��．２のボール３を受け入れるピストン１と、第１の軸方向の溶接接合部Ｖ１によって接続されているか、あるいはピストン１に対応する部材すなわち同様にボール３を取り巻いているソケットリング１１と、第２の軸方向の溶接接合部Ｖ２によって、好適には電子線溶接によって、接続されている。この目的のために固定リング８は、ソケットリング１１を囲繞する縁８．１を備えており、当該縁８．１に溶接接合部Ｖ２が軸方向に取り付けられる。もう片側ではさらなる固定リング８が、その円周側の縁８．１によってピストン１を包含し、同様に当該固定リング８はピストン１と軸方向の溶接接合部Ｖ１を介して接続されている。溶接接合部Ｖ１、Ｖ２を軸方向すなわち長手軸Ａ１方向に取り付けることには、ボール３に引張応力が生じないという利点がある。
【００３０】
しかし、別の溶接方法あるいは別の材料接続的接続を利用することも可能である。さらに図１ａにおいて分かることは、固定リング８とソケットリング１１とが、放射方向外側に向かって、ハウジングＧの方向に円錐状の傾斜を有し、当該傾斜は固定リング８において縁８．１に移行する。それによって大きくなる、ボール３の囲み角に基づいて、より大きな力も可能となる。その際、連結エレメント７．１、７．２の取り付けを容易にするために、固定リング８は放射方向外側に向かってあるいは内側に向かって、スリットが入れられている。しかも固定リング８は、連結エレメント７．１、７．２のボール３を受け入れるために備えられたボールソケット３．１を有している。ピストン１とソケットリング１１も、ボール３を受け入れるために、相応のボールソケット３．１を有している。
【００３１】
ボールロッドとして形成される連結エレメント７．１、７．２(図２)は、極を平らにした、あるいは極を平らにしない変形方法で、好適には１つの部材から製造される。
【００３２】
図３は、連結エレメント７．１、７．２を収容する、ボールソケット３．１を有するピストン１の部分を示している。図４は、ボールソケット３．１と盛り上がった縁８．１とを有する固定リング８を示しており、当該縁８．１は、ピストン１もしくはソケットリング１１を取り囲み、当該ピストン１もしくはソケットリング１１と材料接続的に、すなわち溶接接合部Ｖ１もしくはＶ２によって、接続される。ボール３を受け入れるボールソケット３．１の直径は、ボール３の直径よりも大きく、しかしソケットの両極間の距離は連結エレメント７．１、７．２のボール３の直径と互いに等しい。図３と図４に記載されたピストン１と固定リング８とは基底部を有さずに実施されるが、図３．１と図４．１で示されたピストン１と固定リング８とは、ソケットリング１１と同じように、切り抜き穴ＤＢを有する基底部Ｂをそれぞれ有している。連結エレメント７．１、７．２は、当該切抜き穴ＤＢを通って貫通し、そのボール３で、ピストン１と固定リング８にあるボールソケット３．１によって受け入れられる。ピストン１と固定リング８とソケットリング１１との、このようなコンパクトな実施形態によって、さらに上述された、基底部のない実施形態に対して、より高い機能安定性とより高い剛性がもたらされる。しかも、それによって製造と取り付けとが容易になる。
【００３３】
圧力貯蔵室９(図１ａ)の構造は、圧力貯蔵室の当接面の１つはシャフトの連結部と、圧力貯蔵室の別の当接面はハウジングの蓋ＧＤと当接するように備えられており、その結果圧力貯蔵室９は、回転シャフト１０．１，１０．２が左回転する際も右回転する際も、同じ方向に圧力が加えられる。圧力が印加される結果、剪断力を受け入れることができる。それによって、回転シャフト１０．１、１０．２の安定がもたらされる。圧力室Ｄ１、Ｄ２と圧力貯蔵室９との間には、それぞれ１つのパッキン４が設けられており、それによって常に、圧力の印加と、回転シャフト１０．１、１０．２の安定が得られる。固定リング８の外周には、ガイドリングを受け入れるためのノッチ５が設けられており、当該ガイドリングは、ハウジングＧに支えられることに利用され、かつ応力をよりうまく分散させることに利用される。ピストン１は好適には、長手軸Ａ１に対して直交して延在する中心軸Ａ２に対して対称的に設けられている２つの半分部から成る。当該両半分部は、パッキンノッチにおいて互いに放射方向に溶接されており(溶接接合部Ｖ３)、センタリングリング１２によって、当該両半分部の中央の軸受が固定される(図１ａ)。放射方向にハウジングＧを貫いて通っている圧力媒体供給部２．１、２．２も、ハウジングＧの溶接接続部Ｖ４を介して固定されている。回転シャフト１０．１、１０．２とハウジングの蓋ＧＤと、隣接する力の伝達部材との接続も、同様に好適には、放射方向の突合せ接合部(Ｖ５)による溶接によって行われる。
【００３４】
図５においてジョイントモジュールＳの実施形態が示されており、当該実施形態は、軸方向の圧力媒体供給部を示している。この図では回転シャフト１０．２のみが記載されているだけであるが、上述の実施例と同様に、回転シャフト１０．１と１０．２が対称的な構造となっているはずである。このとき第１圧力媒体供給部２．１は、ハウジングＧの両側に設けられているハウジングの蓋ＧＤの１つを貫いて、長手軸Ａ１の方向に第１圧力室Ｄ１に通っており、他方第２圧力供給部２．２は別のハウジングの蓋ＧＤを貫いて、同様に軸方向に第２圧力室Ｄ２に通っている。上記のような、軸方向の圧力媒体供給部の省スペース構造によって、ジョイントモジュールＳの筐体寸法は、圧力媒体供給部が放射状にある実施形態に対してさらに小さなものとなり得る。図１で使用された固着リング１２の代わりに、ピストン１の両半分部を固着する別の形態がある。ピストン１の半分部には突出部１３が備わっており、当該突出部１３は、隣接するピストン１の半分部の凹部１３．１に、位置固定的に係合する。
【００３５】
さらなる有利な実施形態は、図６に従えば、ピストン１内に付加的圧力室Ｄ３と付加的圧力室Ｄ４とを備えている。このときピストン１は、縦断面図で見てＨ型に形成されており、中央部が小さくなった直径１Ｄｉを有している。ハウジングＧと「Ｈ」の中央部の間にはリング状の空所が形成され、当該空所は隔壁１４によって２つの空間に分離される。同様に、リング状に形成された隔壁１４は、その外径でハウジングＧに固定されており、他方その内径にはパッキンリングを備えており、当該パッキンリングを介して、隔壁１４はピストン１の小さくなった直径１Ｄｉに当接している。それによってピストン１には、第３圧力室Ｄ３において第３のピストン面ＦＫ３が、第４圧力室Ｄ４において第４のピストン面ＦＫ４が形成される。圧力室Ｄ１から発する第１接続管２．１’は、長手軸Ａ１の方向に第１圧力室Ｄ１から見て隔壁１４の後ろ側にある第３圧力室Ｄ３へと通っている。第２接続管２．２’は、長手軸Ａ１の方向に第２圧力室Ｄ２から見て隔壁１４の後ろ側にある第４圧力室Ｄ４と、第２圧力室Ｄ２とを接続している。２つの付加的圧力室Ｄ３とＤ４とのこのような構造によって、油圧作用面と押圧力とが大きくなり得る。たとえば圧力媒体供給管２．１を介して第１圧力室Ｄ１に圧力がかけられると、圧力媒体は接続管２．１’を介して、第３圧力室Ｄ３にも送られる。それによって、圧力室Ｄ１とＤ３とにかかる圧力によって操作される、油圧作用面が存在する。同様に、圧力室Ｄ２とＤ４においても、圧力がかかる。このとき、Ｏリング１５は、圧力貯蔵室９の、軸方向のバネエレメントとして作用し、軸方向の遊び補償のために、および作動時の騒音を回避するために用いられる。ソケットリング１１の外径に設けられたパッキン１６は、回転シャフト１０．１、１０．２に生じる湾曲モーメントを受け入れる。上記のように実施される、本発明に係るジョイントモジュールは、構造様式が小さい場合、比較的高い効率を特徴とする。比較的薄いピストン基底部を有するピストン１を用いることにより、弾力のある変形と、かつ応力の減少に至る。バランスの取れた応力曲線の形が、それによって保証される。ジョイントモジュールＳの長手軸Ａ１の軸方向に設けられた溶接接合部Ｖ１、Ｖ２は、ボールジョイント式の接続の引張応力を妨げ、良好な公差補償をもたらす。しかも連結エレメントの構造は、釣り合いのとれた回転モーメントの曲線形を可能にする。さらに本発明に係るジョイントモジュールは、２つのシャフト出口(図１ａ)を用いることによって、同時にスタビライザーの支え軸受として形成され得る。
【００３６】
図７に従えば、２つのジョイントモジュールＳが、互いに前後に配置され、軸補償２０を介して軸方向に互いに移動可能もしくは運動可能に配置されているような、２部材間で力／トルクと回転運動とを補償および／あるいは伝達するための装置を製造することが可能である。それによって、付加的に軸方向の運動が補償あるいは作り出され得る。
【００３７】
さらに、２つのジョイントモジュールＳは、９０度の角度で互いにずらして設置されていてもよく(図８)、たとえばジョイント３０を介して互いに揺動可能に設置されていてもよい。それによって、非常に様々な方向への動きを作り出すこと、あるいは補償することが可能である。
【符号の説明】
【００３８】
１  ピストン
２．１  第１圧力媒体供給部
２．２  第２圧力媒体供給部
３  ボール
３Ｄ  ボールの直径
３．１  ボールソケット
３．１ｄｘ  ソケットの両極間距離
３．１ｄｙ  ソケットの直径
４  パッキン
５  ノッチ
７．１  第１連結エレメント
７．２  第２連結エレメント
８  固定リング
８．１  固定リングの円周側の縁
９  圧力貯蔵室
１０．１  第１回転シャフト
１０．２  第２回転シャフト
１１  ソケットリング
１２  センタリングリング
１３  突出部
１３．１  凹部
１４  隔壁
１５  Ｏリング
１６  パッキン
２０  軸補償
３０  ジョイント
Ａ１  長手軸
Ａ２  中心軸
Ｂ  基底部
Ｄ１  第１圧力室
Ｄ２  第２圧力室
Ｄ２．１’  第１接続管
Ｄ２．２’  第２接続管
Ｄ３  第３圧力室
Ｄ４  第４圧力室
ＤＢ  切り抜き穴
ＦＫ３  第３ピストン面
ＦＫ４  第４ピストン面
Ｇ  ハウジング
ＧＤ  ハウジングの蓋
ＧＤ’  ショルダー部
Ｍ  スライディングスリーブ
Ｓ(図１)  中間部材
Ｓ(図１ａ、図７、図８)  ジョイントモジュール
Ｖ１  第１溶接接合部
Ｖ２  第２溶接接合部
Ｖ３  第３溶接接合部
Ｖ４  溶接接続部
Ｖ５  突合せ接合部
１Ｄｉ  中央部が小さくなった直径
【図１】
2010507756.tif 000003
【図１ａ】
2010507756.tif 000004
【図２】
2010507756.tif 000005
【図２．１】
2010507756.tif 000006
【図２．２】
2010507756.tif 000007
【図２．３】
2010507756.tif 000008
【図３】
2010507756.tif 000009
【図３．１】
2010507756.tif 000010
【図４】
2010507756.tif 000011
【図４．１】
2010507756.tif 000012
【図５】
2010507756.tif 000013
【図６】
2010507756.tif 000014
【図７】
2010507756.tif 000015
【図８】
2010507756.tif 000016
【手続補正書】
【提出日】平成21年6月23日(2009.6.23)
【手続補正１】
【補正対象書類名】明細書
【補正対象項目名】全文
【補正方法】変更
【補正の内容】
【発明の詳細な説明】
【技術分野】
【０００１】
本発明は、２部材間の力／トルクと回転運動とを補償および／あるいは伝達するための装置に関する。特に、たとえばシャーシを安定させるためのアクティブなシャーシにおいて、車両の動きを補償するために用いられる。
【背景技術】
【０００２】
特許文献１から、直線状の揺動駆動装置とくに空気力学的構造物をフラップ制御するための揺動駆動装置が知られている。この駆動装置はハウジングを備えており、当該ハウジング内において、圧力媒体を供給することによって、ピストンは軸方向に移動可能に設けられている。駆動シャフトは、ネジ山を介してピストンと協働する。ネジ山を通じ、ピストンの軸方向の動きによって、回転運動が駆動シャフトに伝達される。このとき、ネジ山を通じて作用する大きな摩擦力が不利となる。さらに不利なのは、駆動シャフトが２つに分かれる部分を有していることであり、当該部分には、同じ回転方向を持つ回転モーメントがかかる。この解決法では、２つのシャフト部分に対し、異なる、しかも逆方向の回転モーメントを伝達するのは不可能である。それゆえ当該解決法は、２つの部材間で力とトルクを補償することには適していない。
【０００３】
特許文献２は、ピストンを用いないロール・スタビライザーを有する車両サスペンションを記載している。当該車両サスペンションは、車両と接続されている棒状のスタビライザーと、当該スタビライザーと車輪とを接続する２つのリンクとを備えている。選択的に作動される２つの制限装置によって、回転運動は制限され得る。中央部分によって、ねじれの力が発生される。このとき２つの制限装置を用いることにより、大きな筐体寸法が必要となり、かつ比較的費用がかかる。特許文献４に本質的に相当する特許文献３においては、車両用のシャーシ構造が記載されており、スタビライザーの半分部を揺動するためのアクチュエータは、電気モータの形状をした別個の駆動ユニットを備えている。不利なのは、当該アクチュエータが費用のかかる伝動装置を備えていることである。
【０００４】
特許文献５には、圧力媒体を供給可能な２つのピストンとボールネジとを有するスタビライザーが開示されている。当該スタビライザーは同様に、構成上複雑な構造を備えている。
【０００５】
特許文献６は、分割された車軸に設けられ、かつ内側に放射状のフィンを有するシリンダーを備える揺動モータについて記述している。シリンダーにはさらに、翼を有するモータシャフトが設けられている。フィンと翼とが作動チャンバを形成し、当該作動チャンバは油圧を印加可能で、それによってハウジングに対してモータシャフトの回転が生じる。ハウジングの一方の端は車軸の一部と固定接続されており、他方の端は回転シャフトとして形成され、車軸の別の部分と接続されて、その結果車両の動きは、回転シャフトの回転運動と、車軸の両部分の、回転シャフトの回転運動と結びついたねじれの回転運動とによって補償され得る。
【０００６】
さらに、弁やスライダーを作動させるための解決法が知られており、当該解決法においては、ハウジング内に設置され、かつ一方でハウジングとピストンに軸受もしくは２つのピストンの間に軸受されている連結ロッドを通じて、調整距離が、回転運動を直線運動に変換することにより生み出される。このときハウジングは部材に固定されておらず、一般的には回転するシャフトの出口のみが使用可能となっている。特許文献７は、ピストンと接続されている連結ロッドを使用して、直線運動が非直線運動に変換される解決法を記載している。さらなる解決法は、特許文献８に記述されている。当該特許文献８は同様に、直線運動と回転運動とを変換するための装置に関するものであり、駆動ユニットおよび作動ユニットとして、９０度回転バルブたとえば封鎖体を有するバルブ(ニードルバルブあるいはボールバルブ)に適用される。
【０００７】
特許文献９に記載されている解決法も、バルブの適用に関する。
【０００８】
比較的大きな間隔で開閉されるバルブあるいはコックの利用と、シャーシの動きの補償と、相応する調整距離において本質的により多い振動数を要する車両の振動の削減とは、互いに比較不可能である。
【０００９】
アクティブなシャーシにおいて、揺動モータの形状をした、当該分野に係るシャーシを安定させるための装置は、特許文献１０に開示されている。揺動モータは普通、分割された軸(スタビライザー)に設けられ、ハウジングの片側が、軸と固定接続されている。ハウジングの反対側からは回転シャフトが突き出ており、当該回転シャフトは軸と接続されている。ハウジングにおいては、軸方向に運動可能なピストンおよび圧力媒体接続部があり、当該圧力媒体接続部はピストンの前後にある圧力室に達している。回転シャフトは、ピストンの軸方向の動きによって回転運動に変換可能であり、その結果軸の両部分は互いにねじられ得る。ピストンの軸方向の動きから回転シャフトの回転運動への変換は、ピストンとハウジングとに固定されているボールロッドを介して行われる。不利なのは、比較的大きな筐体寸法と、部分的にさらに複雑な構造とである。しかも当該解決法にはシャフトの出口が単に１つしかなく、それゆえ利用範囲が限られている。
【先行技術文献】
【特許文献】
【００１０】
【特許文献１】国際公開第０３／０７２９５５号
【特許文献２】独国特許出願公開第１９８２１２０９号明細書
【特許文献３】米国特許出願公開第２００５／１６７９３２号明細書
【特許文献４】独国特許出願公開第１０２００４００４３３５号明細書
【特許文献５】特開平０５−３１９０６３号公報
【特許文献６】独国特許第１９７５４５３９号明細書
【特許文献７】仏国特許出願公開第２４０６２４７号明細書
【特許文献８】米国特許第４１３３２１５号明細書
【特許文献９】米国特許第３１５６１６１号明細書
【特許文献１０】独国特許第１０２４５４５７号明細書
【発明の概要】
【発明が解決しようとする課題】
【００１１】
本発明の課題は、２つの部材間で力／トルクと回転運動とを補償および／あるいは伝達するための装置、とくに車両の動きを補償するための装置を提供することであり、当該装置は構成上単純な構造を有し、低いコストで生産可能かつ多岐にわたって利用可能である。
【課題を解決するための手段】
【００１２】
当該課題は、請求項１で示された特徴によって解決される。有利な形態は、従属請求項から明らかとなる。
【００１３】
本発明に従えば、本発明は２つの部材間で力／トルクと回転運動とを補償および／あるいは伝達するための装置、とくに車両の動きを補償するための装置を備えており、少なくとも１つのジョイントモジュールが２つの部材の間に設けられており、当該ジョイントモジュールによって、圧力媒体が供給されたピストンの並進運動および／あるいは回転運動は、少なくとも第１回転シャフトあるいは第１と第２回転シャフトの回転運動に変換可能である。１つあるいは２つの回転シャフトが択一的に使用可能であることにより、当該装置は、驚くほど多岐にわたって、車両の動きを補償するために使用され得る。さらに、複数のジョイントモジュールを互いに連結させることが初めて可能となり、それによって、可能な揺動角が、従来の解決法と比較してはるかに大きなものとなり得る。その際、各ジョイントモジュールが分離されたハウジング内に設けられるか、あるいは複数のジョイントモジュールが共通のハウジング内に設けられてもよい。複数のジョイントモジュールが使用される場合には、当該複数のジョイントモジュールは互いに軸方向に位置調整可能もしくは移動可能に設けられてもよく、それによって軸方向の運動もしくは軸方向の力を生み出すか、あるいは受け止めるか、もしくは補償することが可能である。さらに、それぞれ２つのジョイントモジュールを、互いに揺動可能に設けることが可能である。
【００１４】
車両の動きを補償するためのジョイントモジュールは、ピストンが設けられているハウジングおよび第１回転シャフトの形状をした第１のシャフト出口を備えている。当該第１回転シャフトは、車両の動きに応じて回転運動に移行可能であり、かつ両端に回転運動可能に軸受けされている第１連結エレメントを介して、ピストンと作用接続状態にあり、圧力室がピストンの両側に設けられている。さらにジョイントモジュールは、以下の特徴群をそれぞれ個別にあるいは組み合わせて含み得る。
ａ)１つあるいは両方の圧力室に対し、それぞれ１つずつの圧力媒体供給管が、揺動モータの軸方向にハウジングを貫いて通っている、
および／あるいは
ｂ)連結エレメントはその両端にボールを備えており、ピストン側および／あるいは回転シャフト側および／あるいはハウジングの遮断蓋方向で、それぞれ１つの固定リングによってボールソケットに固着されており、固定リングは切り抜き穴を有し、当該切抜き穴を通って連結エレメントのボールが通過可能である、
および／あるいは
ｃ)連結エレメントはその両端にボールを備えており、当該ボールはピストン側および／あるいは回転シャフト側および／あるいはハウジングの遮断蓋方向で、それぞれ１つの固定リングによってボールソケットに固着されており、固定リングはピストン側および／あるいは回転シャフト側および／あるいはハウジングの遮断蓋方向で、揺動モータの軸方向に材料接続的に接続／溶接されている、
および／あるいは
ｄ)連結エレメントはその両端に、ピストン側および／あるいは回転シャフト側でボールソケットに固着されているボールを備えており、ボールソケットは放射方向において、ボールの直径よりも大きな直径へと拡大し、かつボールソケットの両極間距離がボールの直径と等しい、
および／あるいは
ｅ)ピストンが、第１圧力室と接続された第３圧力室と、第２圧力室と接続された第４圧力室とを備えている、
および／あるいは
ｆ)ピストンの、第１回転シャフトと向かい合った側に、第２回転シャフトの形状をした第２のシャフト出口が設けられ、当該第２回転シャフトは、両端に回転運動可能に軸受けされている第２連結エレメントを介して、ピストンと作用接続状態にある。
【００１５】
ピストンは軸方向に運動可能かつ回転運動可能に軸受けされており、第１回転シャフトとピストンとの間には第１圧力室が設けられており、当該第１圧力室に第１圧力媒体供給管が通じている。ピストンの反対側には第２圧力室が設けられており、当該第２圧力室に第２圧力媒体供給管が通じている。ジョイントモジュールの構造上の実施形態によっては、第２圧力室は、ピストンとハウジング側の蓋との間(回転シャフト１つのジョイントモジュール)あるいはピストンと第２回転シャフトとの間(回転シャフト２つのジョイントモジュール)に形成されている。第１圧力室に接続された第１圧力媒体供給管と、第２圧力室に接続された第２圧力媒体供給管とは、好ましくはジョイントモジュールの長手軸方向に、ハウジングの両側に設けられたハウジングの蓋を貫いて通っている。上記のような軸方向の圧力媒体供給部によって、ジョイントモジュールの筐体寸法ははるかに縮小されるか、あるいは同等の筐体寸法の場合にはジョイントモジュールの性能は向上する。
【００１６】
選択肢として、第１圧力室に接続された第１圧力媒体供給管と、第２圧力室に接続された第２圧力媒体供給管とを、ハウジングに固定された接続部を介して放射方向にハウジングを貫いて通すことが可能である。連結エレメントは好ましくは、ボールロッドとして形成されており、かつ上述のように、ボールソケットにおいて固定リングによってボールロッドのボールに固着される。ボールロッドとして形成される連結エレメントは、当該連結エレメントの端に設けられたボールによって、回転シャフト側および／あるいは蓋側に固定されたソケットリングのボールソケットに、回転シャフト側および／あるいは蓋側で固着され、かつピストンのボールソケットに固定リングによって固着されている。ボールロッドを取り付けるために、固定エレメントは、対応する切り抜き穴を有している。固定リングは、ボールを通すために、放射方向外側に向かってあるいは内側に向かって、スリットが入れられて形成されている。このために固定リングは基底部を備えており、当該基底部には、ボールソケットを形作るための凹型曲面の凹部が設けられている。さらに基底部は、中心の切り抜き穴を有しており、当該切抜き穴から凹型曲面の凹部に、スリットが延びている。このときスリットの幅は、ボールロッドのボールを接続しているロッドの直径よりも大きくなくてはならない。
【００１７】
選択肢として固定リングは、ボールソケットを形作るための凹型曲面の凹部が設けられた基底部を備えてよく、その際各凹部には放射方向および／あるいは円周方向にずらされた穴が配設され、当該穴は凹部に移行し、かつ当該穴の直径はボールの直径よりも大きい。取り付けられるべき、ボールロッドのボールは、ボールソケットの向かい側から穴を通ってガイドされ、ボールソケットにはめ込まれる。
【００１８】
好ましくは、それぞれ１つの固定リングがピストンと、それぞれ１つの固定リングがソケットリングと材料接続的に接続されている。上記の接続は、特に溶接接続によって行われる。溶接接合部は、好ましくは軸方向に延在し、円周側で閉じられている。このために固定リングは、ソケットリングもしくはピストンと、軸方向に延在する溶接接合部を介して溶接されている。上記の溶接には、接合されるべき部材間の公差補償が可能であり、縮み応力が回避され得るという利点がある。そのために固定リングはそれぞれ、軸方向に円周側でピストンあるいはソケットリングを囲繞する縁を有している。固定リングの縁と、ピストンもしくはソケットリングの隣接する領域とは、互いに好適には軸方向で溶接される(たとえばレーザー溶接によって)。溶接のプロセスは、ポールソケットから離れて、軸方向の溶接接合部によって行われ、当該溶接のプロセスによってボールソケットの領域における望まれない応力が回避される。もちろん、放射方向の溶接接合部も用いられてよく、あるいは別の材料接続も用いられてよい(はんだ接続あるいは接着接続)。
【００１９】
ボールソケットは放射方向において、ボールの直径よりも大きな直径へと拡大しており、かつボールソケットの両極間距離がボールの直径と等しいため、ボールをボールソケットにゆがみなくかつ応力を受けずに軸受けすることが、非常に重要である。
【００２０】
ピストンが、第１圧力室と接続された第３圧力室と、第２圧力室と接続された第４圧力室とを備えていれば、それによって、有効なピストン面と、ジョイントモジュールの性能とが、著しく増大され得る。そのためにピストンは、縦断面で見てＨ形に形成されており、すなわち中心部では直径が小さくなっており、当該直径に追加の第３・第４のピストン面が隣接しており、第３と第４の圧力室は、ハウジングと小さくなった直径との間、かつ第３ピストン面と第４ピストン面との間の空所にあり、隔壁によって互いに分離されている。このとき第１圧力室は、隔壁の第１圧力室に背向する側にある第３の圧力室と、第１接続管を介して接続されている。同様に第２圧力室は、隔壁の第２圧力室に背向する側にある第４の圧力室と、第２接続管を介して接続されている。隔壁は、ハウジングにも、Ｈ形のピストンの小さくなった直径部分にも当接しており、第３圧力室と第４圧力室を互いに密閉している。好ましくは隔壁は、ハウジングに対してフレーム固定されて設けられている。
【００２１】
ジョイントモジュールが第１回転シャフトと第２回転シャフトとを備える場合、ピストンの片側に設けられた第１回転シャフトと、第１連結エレメントと、ピストンのもう片側に設けられた第２回転シャフトと、第２連結エレメントとが、好ましくはピストンの中心軸に対して対称的に設けられ(ピストンが中心位置にある場合)、中心軸は回転シャフトの長手軸に対して垂直に延びている。
【００２２】
しかしながら、ピストンの片側に設けられた第１連結エレメントを、ピストンのもう片側に設けられた第２連結エレメントに対して、円周方向にずらして設けることも可能であり、その結果第１連結エレメントの２つのボールの間にそれぞれ、第２連結エレメントの１つのボールがピストンに固定され、またその逆になる。
【００２３】
第１圧力室および／あるいは第２圧力室に圧力を印加することにより、ピストンは、より小さな圧力で圧力室の方向に移動し、それによって第１回転シャフトと第２回転シャフトとが逆の方向に回転させられ、車両の揺れが補償され得る。２つの圧力媒体供給管が閉鎖されている場合、２つの回転シャフトは互いに固定的に連結されている。圧力室に圧力がかかっていない場合、２つの回転シャフトは連結を解除され、互いに独立して揺動可能である。それぞれの回転シャフトは軸方向の圧力貯蔵室を介して、端に設けられたハウジングの蓋に支えられる。
【００２４】
さらにガイドリングを受容するために、固定リングの外周にノッチが設けられてもよい。圧力室と圧力貯蔵室との間には、それぞれ１つのパッキンが設けられている。組み立てを確実にするため、かつ製造を単純化するために、ピストンは、回転シャフトの長手軸に対して垂直に２等分割される。ピストンの両半分部は、センタリングリングによって互いに中心に軸受けされることができ、ピストンの半分部の突出部は、隣接するピストンの半分部の凹部に、位置を固定して係合する。選択肢として、ピストンの両半分部は、互いにセンタリングを行う成型エレメントを備えることができ、当該成型エレメントは互いに係合する。ピストンの両半分部は、互いに材料接続的に接続され、特に溶接されている(たとえばレーザー溶接によって)。ハウジングの蓋も、ハウジングと好ましくは溶接されている。
【００２５】
ジョイントモジュールはたとえば、シャーシと接続されているスタビライザーに設けられる。その際第１回転シャフトはスタビライザーの半分部と接続されており、向かい側にあるハウジングの蓋もしくはハウジングあるいは第２回転シャフトはスタビライザーのもう半分部と接続されている。回転シャフトの１つだけが用いられる場合、すでに当該回転シャフトの揺動運動によって、車両の傾きが補償され得る。上記の実施形態は、たとえば車輪に直接配設されて、車輪の動きを取り去ることができる。回転シャフトを２つ用いる場合には、２つの回転シャフトの逆の回転運動もしくは揺動運動によって、車両のより大きな傾斜角を補償することができる。１つの圧力室に圧力が印加され、かつ別の圧力室に圧力がかかっていない場合、ピストンは圧力のかかっていない圧力室の方向に移動し、それにより連結エレメントを介して２つの回転シャフトは、互いに逆の揺動運動を行う。双方の圧力室に圧力がない場合、２つの回転シャフトは連結を解除され、互いに独立して揺動可能であり、ピストンが軸方向に移動して回転運動を行う。圧力媒体供給管が閉鎖されている場合、２つの回転シャフトは互いに固定的に連結され、その結果スタビライザーは一体化したエレメントのように作用し、ピストンは動かない。
【００２６】
本発明に係る解決法によって、２つの部材間の力／トルクと回転運動とを補償および／あるいは伝達するための装置が提供される。当該装置は特に車両の動きを補償するために用いられ、かつ構成上単純な構造で筐体寸法が小さい場合に多方面にわたって使用可能である。本発明は、実施例に基づいて次に詳述される。図で示されるのは、以下である。
【図面の簡単な説明】
【００２７】
【図１】１つの回転シャフトと、軸方向の圧力媒体供給部とを有するジョイントモジュールの基本図である。
【図１ａ】２つの回転シャフトと、放射方向の圧力媒体供給部とを有するジョイントモジュールＳの構造を示す図である。
【図２】互いに離間された固定リングを有する図１の部分図である。
【図２．１】互いに当接する固定リングを有する図１の部分図である。
【図２．２】連結エレメントであるボールロッドを示す図である。
【図２．３】ボールソケットとソケットにあるボールの横断面図である。
【図３】連結エレメントの受容部を有するピストンを示す図である。
【図３．１】基底部と、連結エレメントのための受容部とを有するピストンを示す図である。
【図４】連結エレメントのための受容部を有する固定リングを示す図である。
【図４．１】基底部と、連結エレメントのための受容部とを有する固定リングを示す図である。
【図５】軸方向の圧力媒体供給部と回転シャフトとを有するジョイントモジュールＳの構造を示す図である。
【図６】軸方向の圧力媒体供給部と回転シャフトと、ピストン内の付加的圧力室とを有するジョイントモジュールＳを示す図である。
【図７】互いに軸方向に動くよう設けられた２つのジョイントモジュールを有する装置を示す図である。
【図８】互いに角度に関してずらして設けられた２つのジョイントモジュールを有する装置を示す図である。
【発明を実施するための形態】
【００２８】
図１は、１つの回転シャフト１０．１と軸方向の圧力媒体供給部２．１、２．２とを有するジョイントモジュールＳが基本位置にあるときの基本図を示している。ハウジングＧにはピストン１が設けられ、当該ピストン１はスプラインでかみ合わされたスライディングスリーブＭを介して回転不能かつ軸方向に移動可能に軸受けされている。スライディングスリーブＭは、ピストンの方向を向いている、ハウジングの蓋ＧＤのショルダー部ＧＤ’に載っており、当該ショルダー部ＧＤ’はハウジングＧを当該箇所で閉鎖している。ピストン１とハウジングの蓋ＧＤとの間には第１圧力室Ｄ１が形成され、当該第１圧力室Ｄ１に第１圧力媒体供給部２．１が通っている。ピストン１の、ハウジングの蓋ＧＤに背向する側には、固定リング８とピストン側のソケットリング１１とを介して、４本のボールロッド(第１連結エレメント７．１)の端部のボール３が、詳しく記載されていないボールソケットに揺動可能に軸受けされている。ボールロッド(第１連結エレメント７．１)の向かい合う端部のボール３は同様に、第２の固定リング８と回転シャフト側のソケットリング１１とのボールソケットとに揺動可能に軸受けされている。ボール３と、固定リング８とソケットリング１１とのボールソケットとが、ボールジョイントを形成している。２つの固定リング８の間に、圧力媒体供給部２．２を有する第２圧力室Ｄ２が形成される。ピストン１から離間された固定リング８とソケットリング１１とは、中間部材Ｓを介して第１回転シャフト１０．１と接続されており、当該第１回転シャフト１０．１は、軸方向の圧力貯蔵室９を介して別のハウジングの蓋ＧＤに支えられ、ハウジングＧにおいて回転可能に軸受けされている。第１回転シャフト１０．１は、ハウジングの蓋１０．１を貫いて突き出ている。４本のボールロッド(連結エレメント７．１)は、すべて同じ角で傾いており、共通の目盛円盤上に等間隔に設けられている。ハウジングの蓋ＧＤは、ハウジングＧと密閉されて溶接されている。ピストン１と中間部材ＳとはハウジングＧの内壁に対して、かつ回転シャフト側のハウジングの蓋ＧＤは回転シャフト１０．１の外径に対して、記されていないパッキンにより密閉状態を作っている。
【００２９】
作用は次のようなものである。第１の油圧接続部(圧力媒体供給部２．１)を介して円筒型のピストン１が印加されると、ピストン１はスプラインでかみ合わされたスライディングスリーブＭによって、第１回転シャフト１０．１の方向にねじれを有さずに移動する。ピストンの力が、ボールロッド(連結エレメント７．１)を介して固定リング８とソケットリング１１とに伝達される。４本の連結エレメント７が立体的に傾斜して位置している結果、ソケットリング１１において軸方向の分力と円周方向に作用する分力とが生み出され、４本の連結エレメント７．１はますます大きく傾く。円周方向に作用する分力は、中間部材Ｓを介して第１回転シャフトに、所望の回転力を生じさせ、当該回転力の大きさは、ピストン力とボールロッドの立体角との関数となる。軸方向の分力は、圧力貯蔵室９を介して補償される。逆向きの回転方向は、油圧接続部２．２を介して圧力室Ｄ２に印加されることにより、生じる。このとき、連結エレメント７．２の迎角は再び大きくなる。ハウジングＧは、第１回転シャフト１０．１に対するカウンター軸受(固定軸受)であるピストン側のハウジングの蓋ＧＤを有して構成されており、その結果ハウジングＧと回転シャフト１０．１との間でジョイントモジュールの回転モーメントが生じる。
【００３０】
図１ａは、２つの回転シャフト１０．１、１０．２および放射方向の圧力媒体供給部２．１、２．２を有する、対称的に構成されたジョイントモジュールＳの縦断面図を示している。ピストン１はハウジングＧにあり(図１ａでは中央の位置)、当該ピストン１は、ボールロッドの形状をした連結エレメント７．１、７．２を介して、両側でピストン１に対して設けられ長手軸Ａ１を中心に回転可能な回転シャフト１０．１、１０．２と、作用接続状態にある。ボールロッド(連結エレメント７．１、７．２)は、その両端に設けられたボール３によって、ピストン１にも回転シャフト１０．１、１０．２にも、ボールジョイント式の接続を介して固定されており、かつ固定リング８によって固定されている。ピストン１と第１回転シャフト１０．１との間には第１圧力室Ｄ１が形成されており、ピストン１と第２回転シャフト１０．２との間には第２圧力室Ｄ２が形成されている。ハウジングＧを貫いて、第１圧力室Ｄ１に第１圧力媒体供給部が、第２圧力室Ｄ２に第２圧力媒体供給部が、放射方向に通っている。各回転シャフト１０．１、１０．２は、軸方向の圧力貯蔵室９を介して、両端に設けられているハウジングの蓋ＧＤに支えられる。圧力貯蔵室９と圧力室Ｄ１、Ｄ２との間には、それぞれ１つのパッキン４が備えられている。圧力室Ｄ１、Ｄ２に圧力を印加してピストン１を動かすことにより、回転シャフト１０．１、１０．２の逆方向の揺動運動が生み出される。ボールロッドとして形成されており、かつその両端にボール３が設けられている連結エレメント７．１、７．２は、当該ボール３を部分的に取り巻いている固定リング８に、固定リング８が隙間なく(「塊で」)互いに当接できるように、固着されている(図２．１)。当該形状は、ジョイントモジュールＳの取り付けを容易にする。図２と図２．１とは、簡略的にのみ示されたピストン１とソケットリング１１との、回転シャフト１０．１に配設されたボールジョイント式の接続の概略図を示している。同様の接続は、長手軸Ａ１に対して直交して延在するピストン１の中心軸Ａ２に対して対称的に、回転シャフト１０．２の側に設けられている。示された例(図１ａ)においては、好適には、ピストン１の片側に設けられた第１回転シャフト１０．１と第１連結エレメント７．１と、ピストン１のもう片側に設けられた第２回転シャフト１０．２と第２連結エレメント７．２とが、ピストン１の中心に対して対称的に取り付けられている。しかし、ピストン１の片側にある第１連結エレメント７．１を、ピストン１のもう片側にある第２連結エレメント７．２に対して、円周方向にずらして設けることも可能であり、それによって公差補償がもたらされる(図示せず)。たとえば３つの第１連結エレメント７．１と、たとえば３つの第２連結エレメント７．２とが、対称的に(図１ａ)あるいはまた互いに円周方向にずらされて(図示せず)設けられることができる。しかも連結エレメント７．１、７．２は、立体角度位置をとり、その結果構造が対称的な場合、回転角にわたってほぼ一定の回転モーメントの曲線と、かつ一様な力の曲線がもたらされる。固定リング８は、軸方向すなわち回転シャフト１０．１、１０．２の長手軸Ａ１の方向で、連結エレメント７．１、��．２のボール３を受け入れるピストン１と、第１の軸方向の溶接接合部Ｖ１によって接続されているか、あるいはピストン１に対応する部材すなわち同様にボール３を取り巻いているソケットリング１１と、第２の軸方向の溶接接合部Ｖ２によって、好適には電子線溶接によって、接続されている。この目的のために固定リング８は、ソケットリング１１を囲繞する縁８．１を備えており、当該縁８．１に溶接接合部Ｖ２が軸方向に取り付けられる。もう片側ではさらなる固定リング８が、その円周側の縁８．１によってピストン１を包含し、同様に当該固定リング８はピストン１と軸方向の溶接接合部Ｖ１を介して接続されている。溶接接合部Ｖ１、Ｖ２を軸方向すなわち長手軸Ａ１方向に取り付けることには、ボール３に引張応力が生じないという利点がある。しかし、別の溶接方法あるいは別の材料接続的接続を利用することも可能である。さらに図１ａにおいて分かることは、固定リング８とソケットリング１１とが、放射方向外側に向かって、ハウジングＧの方向に円錐状の傾斜を有し、当該傾斜は固定リング８において縁８．１に移行する。それによって大きくなる、ボール３の囲み角に基づいて、より大きな力も可能となる。その際、連結エレメント７．１、７．２の取り付けを容易にするために、固定リング８は放射方向外側に向かってあるいは内側に向かって、スリットが入れられている。しかも固定リング８は、連結エレメント７．１、７．２のボール３を受け入れるために備えられたボールソケット３．１を有している。ピストン１とソケットリング１１も、ボール３を受け入れるために、相応のボールソケット３．１を有している。
【００３１】
ボールロッドとして形成される連結エレメント７．１、７．２(図２)は、極を平らにした、あるいは極を平らにしない変形方法で、好適には１つの部材から製造される。
【００３２】
図３は、連結エレメント７．１、７．２を収容する、ボールソケット３．１を有するピストン１の部分を示している。
【００３３】
図４は、ボールソケット３．１と盛り上がった縁８．１とを有する固定リング８を示しており、当該縁８．１は、ピストン１もしくはソケットリング１１を取り囲み、当該ピストン１もしくはソケットリング１１と材料接続的に、すなわち溶接接合部Ｖ１もしくはＶ２によって、接続される。ボール３を受け入れるボールソケット３．１の直径は、ボール３の直径よりも大きく、しかしソケットの両極間の距離は連結エレメント７．１、７．２のボール３の直径と互いに等しい。図３と図４に記載されたピストン１と固定リング８とは基底部を有さずに実施されるが、図３．１と図４．１で示されたピストン１と固定リング８とは、ソケットリング１１と同じように、切り抜き穴ＤＢを有する基底部Ｂをそれぞれ有している。連結エレメント７．１、７．２は、当該切抜き穴ＤＢを通って貫通し、そのボール３で、ピストン１と固定リング８にあるボールソケット３．１によって受け入れられる。ピストン１と固定リング８とソケットリング１１との、このようなコンパクトな実施形態によって、さらに上述された、基底部のない実施形態に対して、より高い機能安定性とより高い剛性がもたらされる。しかも、それによって製造と取り付けとが容易になる。
【００３４】
圧力貯蔵室９(図１ａ)の構造は、圧力貯蔵室の当接面の１つはシャフトの連結部と、圧力貯蔵室の別の当接面はハウジングの蓋ＧＤと当接するように備えられており、その結果、圧力貯蔵室９は、回転シャフト１０．１，１０．２が左回転する際も右回転する際も、同じ方向に圧力が加えられる。圧力が印加される結果、剪断力を受け入れることができる。それによって、回転シャフト１０．１、１０．２の安定がもたらされる。圧力室Ｄ１、Ｄ２と圧力貯蔵室９との間には、それぞれ１つのパッキン４が設けられており、それによって常に、圧力の印加と、回転シャフト１０．１、１０．２の安定が得られる。固定リング８の外周には、ガイドリングを受け入れるためのノッチ５が設けられており、当該ガイドリングは、ハウジングＧに支えられることに利用され、かつ応力をよりうまく分散させることに利用される。ピストン１は好適には、長手軸Ａ１に対して直交して延在する中心軸Ａ２に対して対称的に設けられている２つの半分部から成る。当該両半分部は、パッキンノッチにおいて互いに放射方向に溶接されており(溶接接合部Ｖ３)、センタリングリング１２によって、当該両半分部の中央の軸受が固定される(図１ａ)。放射方向にハウジングＧを貫いて通っている圧力媒体供給部２．１、２．２も、ハウジングＧの溶接接続部Ｖ４を介して固定されている。回転シャフト１０．１、１０．２とハウジングの蓋ＧＤと、隣接する力の伝達部材との接続も、同様に好適には、放射方向の突合せ接合部(Ｖ５)による溶接によって行われる。
【００３５】
図５においてジョイントモジュールＳの実施形態が示されており、当該実施形態は、軸方向の圧力媒体供給部を示している。この図では回転シャフト１０．２のみが記載されているだけであるが、上述の実施例と同様に、回転シャフト１０．１と１０．２が対称的な構造となっているはずである。このとき第１圧力媒体供給部２．１は、ハウジングＧの両側に設けられているハウジングの蓋ＧＤの１つを貫いて、長手軸Ａ１の方向に第１圧力室Ｄ１に通っており、他方第２圧力供給部２．２は別のハウジングの蓋ＧＤを貫いて、同様に軸方向に第２圧力室Ｄ２に通っている。
【００３６】
上記のような、軸方向の圧力媒体供給部の省スペース構造によって、ジョイントモジュールＳの筐体寸法は、圧力媒体供給部が放射状にある実施形態に対してさらに小さなものとなり得る。図１で使用された固着リング１２の代わりに、ピストン１の両半分部を固着する別の形態がある。ピストン１の半分部には突出部１３が備わっており、当該突出部１３は、隣接するピストン１の半分部の凹部１３．１に、位置固定的に係合する。
【００３７】
さらなる有利な実施形態は、図６に従えば、ピストン１内に付加的圧力室Ｄ３と付加的圧力室Ｄ４とを備えている。このときピストン１は、縦断面図で見てＨ型に形成されており、中央部が小さくなった直径１Ｄｉを有している。ハウジングＧと「Ｈ」の中央部の間にはリング状の空所が形成され、当該空所は隔壁１４によって２つの空間に分離される。同様に、リング状に形成された隔壁１４は、その外径でハウジングＧに固定されており、他方その内径にはパッキンリングを備えており、当該パッキンリングを介して、隔壁１４はピストン１の小さくなった直径１Ｄｉに当接している。それによってピストン１には、第３圧力室Ｄ３において第３のピストン面ＦＫ３が、第４圧力室Ｄ４において第４のピストン面ＦＫ４が形成される。圧力室Ｄ１から発する第１接続管２．１’は、長手軸Ａ１の方向に第１圧力室Ｄ１から見て隔壁１４の後ろ側にある第３圧力室Ｄ３へと通っている。第２接続管２．２’は、長手軸Ａ１の方向に第２圧力室Ｄ２から見て隔壁１４の後ろ側にある第４圧力室Ｄ４と、第２圧力室Ｄ２とを接続している。２つの付加的圧力室Ｄ３とＤ４とのこのような構造によって、油圧作用面と押圧力とが大きくなり得る。たとえば圧力媒体供給管２．１を介して第１圧力室Ｄ１に圧力がかけられると、圧力媒体は接続管２．１’を介して、第３圧力室Ｄ３にも送られる。それによって、圧力室Ｄ１とＤ３とにかかる圧力によって操作される、油圧作用面が存在する。同様に、圧力室Ｄ２とＤ４においても、圧力がかかる。このとき、Ｏリング１５は、圧力貯蔵室９の、軸方向のバネエレメントとして作用し、軸方向の遊び補償のために、および作動時の騒音を回避するために用いられる。ソケットリング１１の外径に設けられたパッキン１６は、回転シャフト１０．１、１０．２に生じる湾曲モーメントを受け入れる。上記のように実施される、本発明に係るジョイントモジュールは、構造様式が小さい場合、比較的高い効率を特徴とする。比較的薄いピストン基底部を有するピストン１を用いることにより、弾力のある変形と、かつ応力の減少に至る。バランスの取れた応力曲線の形が、それによって保証される。ジョイントモジュールＳの長手軸Ａ１の軸方向に設けられた溶接接合部Ｖ１、Ｖ２は、ボールジョイント式の接続の引張応力を妨げ、良好な公差補償をもたらす。しかも連結エレメントの構造は、釣り合いのとれた回転モーメントの曲線形を可能にする。さらに本発明に係るジョイントモジュールは、２つのシャフト出口(図１ａ)を用いることによって、同時にスタビライザーの支え軸受として形成され得る。
【００３８】
図７に従えば、２つのジョイントモジュールＳが、互いに前後に配置され、軸補償２０を介して軸方向に互いに移動可能もしくは運動可能に配置されているような、２部材間で力／トルクと回転運動とを補償および／あるいは伝達するための装置を製造することが可能である。それによって、付加的に軸方向の運動が補償あるいは作り出され得る。
【００３９】
さらに、２つのジョイントモジュールＳは、９０度の角度で互いにずらして設置されていてもよく(図８)、たとえばジョイント３０を介して互いに揺動可能に設置されていてもよい。
【００４０】
それによって、非常に様々な方向への動きを作り出すこと、あるいは補償することが可能である。
【符号の説明】
【００４１】
１  ピストン
２．１  第１圧力媒体供給部
２．２  第２圧力媒体供給部
３  ボール
３Ｄ  ボールの直径
３．１  ボールソケット
３．１ｄｘ  ソケットの両極間距離
３．１ｄｙ  ソケットの直径
４  パッキン
５  ノッチ
７．１  第１連結エレメント
７．２  第２連結エレメント
８  固定リング
８．１  固定リングの円周側の縁
９  圧力貯蔵室
１０．１  第１回転シャフト
１０．２  第２回転シャフト
１１  ソケットリング
１２  センタリングリング
１３  突出部
１３．１  凹部
１４  隔壁
１５  Ｏリング
１６  パッキン
２０  軸補償
３０  ジョイント
Ａ１  長手軸
Ａ２  中心軸
Ｂ  基底部
Ｄ１  第１圧力室
Ｄ２  第２圧力室
Ｄ２．１’  第１接続管
Ｄ２．２’  第２接続管
Ｄ３  第３圧力室
Ｄ４  第４圧力室
ＤＢ  切り抜き穴
ＦＫ３  第３ピストン面
ＦＫ４  第４ピストン面
Ｇ  ハウジング
ＧＤ  ハウジングの蓋
ＧＤ’  ショルダー部
Ｍ  スライディングスリーブ
Ｓ(図１)  中間部材
Ｓ(図１ａ、図７、図８)  ジョイントモジュール
Ｖ１  第１溶接接合部
Ｖ２  第２溶接接合部
Ｖ３  第３溶接接合部
Ｖ４  溶接接続部
Ｖ５  突合せ接合部
１Ｄｉ  中央部が小さくなった直径
【手続補正２】
【補正対象書類名】特許請求の範囲
【補正対象項目名】全文
【補正方法】変更
【補正の内容】
【特許請求の範囲】
【請求項１】
２つの部材間で力／トルクと回転運動とを補償および／あるいは伝達するための装置、とくに車両の動きを補償するための装置であって、少なくとも１つのボールロッドジョイントモジュール(Ｓ)が２つの部材の間に設けられている装置において、
前記ジョイントモジュールは、両端でジョイント式に軸受けされたボールロッドの形状をした連結エレメントを有するボールロッドジョイントモジュールの形状に形成され、前記連結エレメントは立体角度位置をとり、
該ボールロッドジョイントモジュールによって、圧力媒体が供給されたピストン(１)の並進運動および／あるいは回転運動が、
・第１回転シャフトあるいは
・第１回転シャフトかつ第２回転シャフト
の回転運動に変換可能であり、
ピストンと、第１および／あるいは第２回転シャフトとの間にそれぞれ、少なくとも１つのボールロッドジョイントモジュールが設けられていることを特徴とする装置。
【請求項２】
複数のボールロッドジョイントモジュールが、互いに連結されていることを特徴とする請求項１に記載の装置。
【請求項３】
ハウジング(Ｇ)にそれぞれ１つのボールロッドジョイントモジュール(Ｓ)が設けられているか、あるいは共通のハウジングに複数のボールロッドジョイントモジュールが設けられていることを特徴とする請求項１あるいは請求項２に記載の装置。
【請求項４】
それぞれ２つのボールロッドジョイントモジュールが、互いに軸方向に調整可能／移動可能および／あるいは互いに揺動可能に設けられていることを特徴とする請求項１から請求項３のいずれか一項に記載の装置。
【請求項５】
前記ピストンの両側に圧力室が設けられており、該ピストンは第１連結エレメント(７．１)を介して、前記第１回転シャフトと作用接続状態にあり、１つあるいは２つの圧力室(Ｄ１，Ｄ２)に、それぞれ１つの圧力媒体供給部(２．１，２．２)が、前記ボールロッドジョイントモジュール(Ｓ)の軸方向に前記ハウジング(Ｇ)を貫いて通っていることを特徴とする請求項１から請求項４のいずれか一項に記載の装置。
【請求項６】
両端にボールを備える前記連結エレメント(７．１，７．２)が、ピストン側と回転シャフト側および／あるいは前記ハウジングの遮断蓋方向で、それぞれ１つの固定リング(８)によってボールソケットに固着されており、前記固定リングは切り抜き穴(ＤＢ)を有し、該切り抜き穴(ＤＢ)を通って前記連結エレメント(７．１，７．２)の前記ボールが通過可能であり、
前記連結エレメント(７．１，７．２)の前記ボールが、ピストン側および／あるいは回転シャフト側および／あるいは前記ハウジングの遮断蓋方向で、それぞれ１つの固定リング(８)によって前記ボールソケットに固着されており、前記固定リングはピストン側および／あるいは回転シャフト側および／あるいは前記ハウジング(Ｇ)の遮断蓋方向で、前記ボールロッドジョイントモジュールの軸方向に材料接続的に接続／溶接されていることを特徴とする請求項１から請求項５のいずれか一項に記載の装置。
【請求項７】
前記連結エレメント(７．１，７．２)の前記ボールが、ピストン側および／あるいは回転シャフト側でポールソケット(３．１)に固着されており、該ボールソケット(３．１)は放射方向において、前記ボール(３)の前記直径(３Ｄ)よりも大きな直径(３．１ｄｙ)へと拡大しており、前記ボールソケット(３．１)の両極間距離(３．１ｄｘ)は、前記ボール(３)の前記直径(３Ｄ)と等しいことを特徴とする請求項１から請求項６のいずれか一項に記載の装置。
【請求項８】
前記ピストン(１)が、前記第１圧力室(Ｄ１)と接続された第３圧力室(Ｄ３)と、前記第２圧力室(Ｄ２)と接続された第４圧力室(Ｄ４)とを備えていることを特徴とする請求項１から請求項７のいずれか一項に記載の装置。
【請求項９】
前記ピストン(１)の、前記第１回転シャフト(１０．１)と向かい合った側に、前記第２回転シャフト(１０．２)の形状をした第２のシャフト出口が設けられ、前記第２回転シャフト(１０．２)は、両端に回転運動可能に軸受けされている第２連結エレメント(７．２)を介して、前記ピストン(１)と作用接続状態にあることを特徴とする請求項１から請求項８のいずれか一項に記載の装置。
【請求項１０】
前記ピストン(１)が、軸方向に運動可能かつ回転運動可能に軸受けされており、前記第１回転シャフト(１０．１)と前記ピストン(１)との間には第１圧力室(Ｄ１)が設けられ、該第１圧力室(Ｄ１)に前記第１圧力媒体供給管(２．１)が通じており、かつ前記ピストン(１)のもう一方の側には第２圧力室(Ｄ２)が設けられ、該第２圧力室(Ｄ２)に前記第２圧力供給管(２．２)が通じており、前記第２圧力室(Ｄ２)が、前記ピストン(１)とハウジング側の蓋との間、あるいは前記ピストン(１)と前記第２回転シャフト(１０．２)との間に設けられていることを特徴とする請求項１から請求項９のいずれか一項に記載の装置。
【請求項１１】
前記第１圧力室(Ｄ１)に接続された前記第１圧力媒体供給管(２．１)と、前記第２圧力室(Ｄ２)に接続された前記第２圧力媒体供給管(２．２)とが、長手軸(Ａ１)方向に、前記ハウジング(Ｇ)の両側に設けられたハウジングの蓋(ＧＤ)を貫いて通っているか、あるいは前記ハウジング(Ｇ)に固定された接続部を介して、放射方向に前記ハウジング(Ｇ)を貫いて通っていることを特徴とする請求項８から請求項１０のいずれか一項に記載の装置。
【請求項１２】
ボールロッドとして形成される前記連結エレメント(７．１，７．２)が、該連結エレメント(７．１，７．２)の端に設けられたボール(３)によって、前記ピストンと前記固定リング(８)とのボールソケット(３．１)に、ビストン側で固着されており、かつ前記連結エレメント(７．１，７．２)の端に設けられたボール(３)によって、回転シャフト側および／あるいは蓋側に固定された、前記ピストンと前記固定リング(８)とのソケットリング(１１)のボールソケット(３．１)に、回転シャフト側および／あるいは蓋側で固着されており、前記固定リング(８)が、放射方向外側に向かってあるいは内側に向かってスリットが入れられていることを特徴とする請求項１から請求項１１のいずれか一項に記載の装置。
【請求項１３】
前記固定リングが基底部を備えており、該基底部には、前記ボールソケットを形作るための凹型曲面の凹部が設けられており、前記基底部は中心の切り抜き穴を有しており、該切抜き穴から凹型曲面の前記凹部に、スリットが延びており、かつ該スリットの幅は、前記ボールロッドの前記ボールを接続しているロッドの直径よりも大きいことを特徴とする請求項６から請求項１２のいずれか一項に記載の装置。
【請求項１４】
前記固定リング(８)が基底部(Ｂ)を備えており、該基底部(Ｂ)には、前記ボールソケット(３．１)を形作るための凹型曲面の凹部が設けられており、各凹部には放射方向および／あるいは円周方向にずらされた穴(ＤＢ)が配設され、該穴は前記凹部に移行し、かつ該穴の直径は前記ボールの直径よりも大きいことを特徴とする請求項６から請求項１３のいずれか一項に記載の装置。
【請求項１５】
それぞれ１つの固定リング(８)が前記ピストン(１)と材料接続的に接続され、かつそれぞれ１つの固定リング(８)が前記ソケットリング(１１)と材料接続的に接続されており、とくに軸方向から形成される溶接接合部(Ｖ２)を介して接続されていることを特徴とする請求項８から請求項１４のいずれか一項に記載の装置。
【請求項１６】
前記固定リング(８)がそれぞれ、軸方向に円周側で前記ピストン(１)あるいは前記ソケットリング(１１)を囲繞する縁(８．１)を有しており、該縁(８．１)は、それぞれ前記ピストン(１)と前記ソケットリング(１１)と溶接されていることを特徴とする請求項８から請求項１５のいずれか一項に記載の装置。
【請求項１７】
前記ピストン(１)の中心領域では直径(１Ｄｉ)が小さくなっており、該小さくなった直径(１Ｄｉ)に第３と第４ピストン面(ＦＫ３，ＦＫ４)が隣接しており、前記第３と第４圧力室(Ｄ３，Ｄ４)が、前記ハウジング(Ｇ)と前記小さくなった直径(１Ｄｉ)との間かつ前記ピストン(１)の前記第３ピストン面と第４ピストン面(ＦＫ３，ＦＫ４)との間の空所にあり、隔壁(１４)によって互いに分離されており、前記第１圧力室(Ｄ１)は、前記隔壁(１４)の前記圧力室(Ｄ１)に背向する側にある前記第３の圧力室(Ｄ３)と、第１接続管(Ｄ２．１’)を介して接続されており、かつ前記第２圧力室(Ｄ２)は、前記隔壁(１４)の前記圧力室(Ｄ２)に背向する側にある前記第４の圧力室(Ｄ４)と、第２接続管(Ｄ２．２’)を介して接続されていることを特徴とする請求項１から請求項１６のいずれか一項に記載の装置。
【請求項１８】
前記隔壁(１４)が、その外径で前記ハウジング(Ｇ)に固定されており、かつ前記第３と第４圧力室(Ｄ３，Ｄ４)を互いに密閉して、内径でＨ型の前記ピストン(１)の前記小さくなった直径(１Ｄｉ)に当接していることを特徴とする請求項１７に記載の装置。
【請求項１９】
前記ピストン(１)の片側に設けられた前記第１回転シャフト(１０．１)と前記第１連結エレメント(７．１)と、前記ピストン(１)のもう片側に設けられた前記第２回転シャフト(１０．２)と前記第２連結エレメント(７．２)とが、前記ピストン(１)の中心軸(Ａ２)に対して対称的に設けられ、該中心軸(Ａ２)は前記回転シャフト(１０．１，１０．２)の前記長手軸(Ａ１)に対して垂直に延びていることを特徴とする請求項１から請求項１８のいずれか一項に記載の装置。
【請求項２０】
前記ピストン(１)の片側に設けられた前記第１連結エレメント(７．１)が、前記ピストン(１)のもう片側に設けられた前記第２連結エレメント(７．２)に対して、円周方向にずらして設けられていることを特徴とする請求項１から請求項１９のいずれか一項に記載の装置。
【請求項２１】
前記第１回転シャフト(１０．１)および／あるいは前記第２回転シャフト(１０．２)が、前記圧力室(Ｄ１)および／あるいは前記圧力室(Ｄ２)に圧力を印加することによる前記ピストン(１)の移動によって、回転させることが可能であり、圧力室(Ｄ１，Ｄ２)に圧力がかかっていない場合、２つの回転シャフト(１０．１，１０．２)は連結を解除され、互いに独立して揺動可能であり、かつ圧力媒体供給管(２．１，２．２)が閉鎖されている場合、２つの回転シャフト(１０．１，１０．２)は互いに固定的に連結されていることを特徴とする請求項１から請求項３２のいずれか一項に記載の装置。
【請求項２２】
それぞれの回転シャフト(１０．１，１０．２)は軸方向の圧力貯蔵室(９)を介して、端に設けられたハウジングの蓋(ＧＤ)に支えられることを特徴とする請求項１から請求項２１のいずれか一項に記載の装置。
【請求項２３】
少なくとも１つの第１連結エレメント(７．１)と少なくとも１つの第２連結エレメント(７．２)とが、互いに対称的に設けられ、および／あるいは少なくとも１つの第１連結エレメント(７．１)と少なくとも１つの第２連結エレメント(７．２)とが、互いにずらして設けられていることを特徴とする請求項１から請求項２２のいずれか一項に記載の装置。
【請求項２４】
前記ピストン(１)が、前記回転シャフト(１０．１，１０．２)の前記長手軸(Ａ１)に対して垂直に２等分割され、前記ピストン(１)の半分部の突出部(１３)が前記ピストン(１)の隣接する半分部の凹部(１３．１)に、位置を固定して係合するように、前記ピストン(１)の両半分部が、センタリングリング(１２)によってとくに中心に軸受けされていることを特徴とする請求項１から請求項２３のいずれか一項に記載の装置。
【請求項２５】
前記ピストンの両半分部は、互いに材料接続的に接続されており、および／あるいはハウジングの蓋(ＧＤ)は、前記ハウジング(Ｇ)と材料接続的に接続されていることを特徴とする請求項２４に記載の装置。
【国際調査報告】
2010507756.tif 000017
2010507756.tif 000018
2010507756.tif 000019
2010507756.tif 000020
2010507756.tif 000021
2010507756.tif 000022
2010507756.tif 000023
2010507756.tif 000024
2010507756.tif 000025
2010507756.tif 000026